(57)【要約】【課題】屋外でも使用でき、運搬や組立が容易で、頑丈で、耐久性の高い紙製組立家具を提供する。【解決手段】少なくとも２か所以上の切込み部を有するシート状部材からなり、垂直に立てた状態で上部が縦長形状のヘッド部となり前記ヘッド部の下が横長または略正方形状となる３枚以上の椅子本体部材と、前記本体部材の前記横長または略正方形状の上辺に載置可能な平面体からなる座面シートと、前記切込み部に嵌合する２か所以上の嵌め込み部を有するシート状部材からなる２枚以上の結合部材と、からなることを特徴とする組み立て式家具作成キットを提供する。【選択図】図７
2020000265.tif 000002
【特許請求の範囲】
【請求項１】
少なくとも２か所以上の切込み部を有するシート状部材からなる３枚以上の本体部材と、
前記切込み部に嵌合する２か所以上の嵌め込み部を有するシート状部材からなる２枚以上の結合部材と、
からなることを特徴とする組み立て式家具作成キット。
【請求項２】
少なくとも２か所以上の切込み部を有するシート状部材からなり、垂直に立てた状態で上部が縦長形状のヘッド部となり前記ヘッド部の下が横長または略正方形状となる３枚以上の椅子本体部材と、
前記本体部材の前記横長または略正方形状の上辺に載置可能な平面体からなる座面シートと、
前記切込み部に嵌合する２か所以上の嵌め込み部を有するシート状部材からなる２枚以上の結合部材と、
からなることを特徴とする組み立て式家具作成キット。
【請求項３】
少なくとも２か所以上の切込み部を有するシート状部材からなり、垂直に立てた状態で上辺と底辺が平行であり且つ上辺が底辺より長い３枚以上のテーブル本体部材と、
前記切込み部に嵌合する２か所以上の嵌め込み部を有するシート状部材からなる２枚以上の結合部材と、
からなることを特徴とする組み立て式家具作成キット。
【請求項４】
少なくとも２か所以上の切込み部を有するシート状部材からなり、垂直に立てた状態で上辺と底辺が平行な横長の長方形である３枚以上のベッド本体部材と、
前記切込み部に嵌合する２か所以上の嵌め込み部を有するシート状部材からなる２枚以上の結合部材と、
からなることを特徴とする組み立て式家具作成キット。
【請求項５】
請求項１ないし請求項４のいずれか１項に記載の組み立て式家具作成キットを使用した組み立て式家具であって、少なくとも２か所以上の切込み部を有するシート状部材からなる３枚以上の本体部材を上面視放射状になるよう立設し、隣接する前記本体部材の前記切込み部を、前記結合部材の前記嵌め込み部に嵌合させて構成したことを特徴とする組み立て式家具。
【発明の詳細な説明】
【技術分野】
【０００１】
本発明は、屋外でも使用でき、運搬や組立が容易で、頑丈で、耐久性の高い組立式家具に関する。本発明の組立式家具は、駅や病院、イベント会場など、屋内外スペースに設置し活用できるものである。
【背景技術】
【０００２】
従来より、段ボールや厚手の紙からなるシート状部材を組み合わせた椅子やテーブル等の家具が考案されている。段ボール製の組立家具は、安価であること、頑丈性を備えていること、組立しやすいことが特徴で、簡易的に使用する目的で広く使用されている。
【０００３】
特許文献１の組立式家具は、段ボール素材からなる天板及び外周スリーブを備えた折り畳み可能な家具である。特許文献２の段ボール製の組立て式椅子は、段ボール製の円形状台座を２枚の段ボール製脚部で固定した椅子である。
【先行技術文献】
【特許文献】
【０００４】
【特許文献１】特開２０１７−２０９３２１号公報
【特許文献２】特開２０１６−１０６７４４号公報
【発明の概要】
【発明が解決しようとする課題】
【０００５】
しかしながら、段ボールや厚手の紙は、軽量で携帯に便利であり、また、使用後も、分解や廃棄が簡単であるという長所を持つ反面、耐久面、耐衝撃性及び耐荷重性の面では弱く、強度が十分ではないという短所があった。また、組立式の椅子やテーブルは、部材の形状が複雑で、組立方法も高度な技術やコツが必要であり、決められた工程に沿って組み立てる必要があり、会場のスペースや間取りに応じて、形状や配置を、自由に変容できるようなものは、これまで、考案されていなかった。
【０００６】
そこで、本発明は、安価で軽量な段ボールまたは厚手の紙製素材を使用し、構成部材の種類が少なく、道具を使わず容易に組み立てることが可能な組立式家具を提供する。本発明の組立式家具は、耐久性に優れ、分解や廃棄が簡単である。また、設置場所の広さや形状に応じて、自由に形状を変えることができ、どのようなスペースにも合わせることができる。
【課題を解決するための手段】
【０００７】
この発明の組立式家具作成キットは、少なくとも２か所以上の切込み部を有するシート状部材からなる３枚以上の本体部材と、前記切込み部に嵌合する嵌め込み部を有するシート状部材からなる２枚以上の結合部材と、からなることを特徴とする。
【０００８】
この発明によれば、本体部材の切込み部に、結合部材の嵌め込み部を嵌めこんでいけば、迅速かつ容易に、家具を組み立てることができる。また、本体部材及び結合部材は、紙製等のシート状部材からなるため、軽量で、取扱が容易なため、力の弱い子供や高齢者でも、簡単に、家具を組み立てることができる。
【０００９】
また、この発明の組立式家具作成キットは、少なくとも２か所以上の切込み部を有するシート状部材からなり、垂直に立てた状態で上部が縦長形状のヘッド部となっており前記ヘッド部の下が横長または略正方形状となっている３枚以上の椅子本体部材と、前記本体部材の前記横長または略正方形状の上辺に載置可能な平面体からなる座面シートと、前記切込み部に嵌合する嵌め込み部を有するシート状部材からなる２枚以上の結合部材と、からなることを特徴とする。
【００１０】
この発明によれば、椅子本体部材の切込み部を、結合部材の嵌め込み部に嵌合させていくだけで、迅速かつ容易に、椅子を組み立てることができる。また、椅子本体部材及び結合部材は、紙製等のシート状部材であるため、軽量で、取扱が容易なため、力の弱い子供や高齢者でも、簡単に、家具を組み立てることができる。
【００１１】
また、この発明の組立式家具作成キットは、少なくとも２か所以上の切込み部を有するシート状部材からなり、垂直に立てた状態で上辺と底辺が平行であり且つ上辺が底辺より長い３枚以上のテーブル本体部材と、前記切込み部に嵌合する嵌め込み部を有するシート状部材からなる２枚以上の結合部材と、からなることを特徴とする。
【００１２】
この発明によれば、テーブル本体部材の切込み部を、結合部材の嵌め込み部に嵌合させていくだけで、迅速かつ容易にテーブルを組み立てることができる。また、テーブル本体部材及び結合部材は、紙製等のシート状部材であるため、軽量で、取扱が容易なため、力の弱い子供や高齢者でも、簡単に、家具を組み立てることができる。
【００１３】
また、この発明の組立式家具作成キットは、少なくとも２か所以上の切込み部を有するシート状部材からなり、垂直に立てた状態で上辺と底辺が平行な横長の長方形である長い３枚以上のベッド本体部材と、前記切込み部に嵌合する嵌め込み部を有するシート状部材からなる２枚以上の結合部材と、からなることを特徴とする。
【００１４】
この発明によれば、ベッド本体部材の切込み部を、結合部材の嵌め込み部に嵌合させていくだけで、迅速かつ容易にベッドを組み立てることができる。また、本体部材及び結合部材は、紙製であるため、軽量で、取扱が容易なため、力の弱い子供や高齢者でも、簡単に、家具を組み立てることができる。
【００１５】
また、この発明の組み立て式家具は、前記組み立て式家具作成キットを使用した組み立て式家具であって、少なくとも２か所以上の切込み部を有するシート状部材からなる３枚以上の本体部材を上面視放射状になるよう立設し、隣接する前記本体部材の前記切込み部を、前記結合部材の前記嵌め込み部に嵌合させて構成したことを特徴とする。
【００１６】
この発明によれば、本体部材の切込み部に、結合部材の嵌め込み部を嵌めこんでいけば、迅速かつ容易に、家具を組み立てることができる。また、本体部材及び結合部材は、紙製等のシート状部材からなるため、軽量で、取扱が容易なため、力の弱い子供や高齢者でも、簡単に、家具を組み立てることができる。
【図面の簡単な説明】
【００１７】
【図１】本発明の実施の形態１にかかる椅子１００の構成部材である椅子本体部材１、頭部結合部材２、頭部補助部材２３、座部結合部材３、座面補助部材３３、脚部外側結合部材４及び脚部補助結合部材４３の平面図である。
【図２】本発明の実施の形態１にかかる椅子１００を構成する部材である椅子本体部材１の平面図である。
【図３】（ａ）は、本発明の実施の形態１にかかる椅子１００を構成する部材である頭部結合部材２の平面図であって、（ｂ）は、頭部補助部材２３の平面図である。
【図４】（ａ）は、本発明の実施の形態１にかかる椅子１００を構成する部材である座部結合部材３の平面図であって、（ｂ）は、座部補助部材３３の平面図である。
【図５】（ａ）は、本発明の実施の形態１にかかる椅子１００を構成する部材である脚部外側結合部材４の平面図であって、（ｂ）は、脚部内側結合部材４３の平面図である。
【図６】本発明の実施の形態１にかかる椅子１００の組み立て方法を示す参考説明図である。
【図７】本発明の実施の形態１にかかる椅子１００の組み立て方法を示す参考説明図である。
【図８】本発明の実施の形態１にかかる椅子１００の組み立て方法を示す参考斜視図である。
【図９】本発明の実施の形態１にかかる椅子１００の組立を完成した状態を示す参考斜視図である。
【図１０】本発明の実施の形態２にかかるテーブル２００のテーブル本体部材５、テーブル本体補助部材５５、天板中心部結合部材６、天板外側部結合部材７、底部結合部材８及び天板部材９の平面図である。
【図１１】本発明の実施の形態２にかかるテーブル２００のテーブル本体部材５及びテーブル本体補助部材５５の平面図である。
【図１２】本発明の実施の形態２にかかるテーブル２００の天板中心部結合部材６及び天板外側部結合部材７の平面図である。
【図１３】（ａ）は、本発明の実施の形態２にかかるテーブル２００の底部結合部材８及び天板部材９の平面図である。
【図１４】本発明の実施の形態２にかかるテーブル２００の組み立て方法を示す参考説明図である。
【図１５】本発明の実施の形態２にかかるテーブル２００の組立を完成した状態を示す参考斜視図である。
【図１６】（ａ）は、本発明の実施の形態３にかかるベッド３００のベッド本体部材３０１を示す平面図であって、（ｂ）は、ベッド結合部材３０２の平面図である。
【図１７】本発明の実施の形態３にかかるベッド３００の組み立て方法を示す参考斜視図である。
【図１８】本発明の実施の形態３にかかるベッド３００の組み立てを完成した状態を示す参考斜視図である。
【図１９】本発明の実施の形態３にかかるベッド３００の使用方法を説明する参考斜視図である。
【図２０】本発明の実施の形態３にかかるベッド３００の使用方法を説明する参考斜視図である。
【発明を実施するための形態】
【００１８】
以下、発明を実施するための形態を説明する。
【００１９】
（実施の形態１）
図１に示すように、本発明の実施の形態１の椅子１００は、椅子本体部材１、頭部結合部材２、頭部結合補助部材２３、座部結合部材３、座面補助部材３３、脚部結合部材４、脚部内側補助部材４４からなる。椅子本体部材１、頭部結合部材２、頭部結合補助部材２３、座部結合部材３、座面補助部材３３、脚部結合部材４、脚部内側補助部材４４は、それぞれ、複数枚ずつ備えられており、これら部材を組み合わせて椅子１００を組み立てる。椅子本体部材１、頭部結合部材２、頭部結合補助部材２３、座部結合部材３、座面補助部材３３、脚部結合部材４、脚部内側補助部材４４は、それぞれシート状部材、たとえば、段ボールや厚手の紙素材からなる。シート状のプラスチックや薄いベニヤ板等の木製素材としてもよい。
【００２０】
図２に示すように、椅子本体部材１は、平面視、右角部分が上方に突出してヘッド部１４となっており、ヘッド部１４には、開口１５と、頭部切込み１１が設けられている。ヘッド部１４の下方は、４か所の切込みと１か所の開口が設けられている。４か所の切込みは、それぞれ、頭部切込み１１、座部切込み１２、脚部切込み１３及び脚部内側切込みとなっている。開口１５は、ヘッド部１４に設けられた細長形状の開口であって、頭部補助部材２３の嵌め込み部２３ａ、２３ｂが嵌め込める幅と寸法を備えている。
【００２１】
ヘッド部１４には、頭部切込み１１が設けられている。椅子本体部材１の左上の角部近傍には、座部切込み１２が設けられ、左下の角部近傍には脚部切込み１３が設けられている。椅子本体部材１の底辺には、脚部内側切込み１６が設けられている。椅子本体部材１のヘッド部１４にある頭部切込み１１は、頭部結合部材２が２枚重ねて嵌合できる幅を備えた切込みである。椅子本体部材１の頭部切込み１１は、頭部結合部材２の第一切込み２１と、別の頭部結合部材２の第二切込み２２が嵌合する。
【００２２】
椅子本体部材１の座部切込み１２は、座部結合部材３が２枚重ねて嵌合できる幅を備えた切込みである。椅子本体部材１の座部切込み１２は、座部結合部材３の第一切込み３１と、別の座部結合部材３の第二切込み３２が嵌合する。椅子本体部材１の脚部切込み１３は、脚部結合部材４が２枚重ねて嵌合できる幅を備えた切込みである。椅子本体部材１の脚部切込み１３は、脚部結合部材４の第一切込み４１と、別の脚部結合部材４の第二切込み４２が嵌合する。
【００２３】
図３（ａ）に示すように、頭部結合部材２は、切込みが２か所設けられ、第一切込み２１と第二切込み２２となっている。第一切込み２１と第二切込み２２の間の距離は、中央部分は狭く、外端にいくほど広くなっていて、ハの字形状となっている。頭部結合部材２は、段ボール製または厚手の紙製であって、第一切込み２１及び第二切込み２２は、それぞれ、椅子本体部材１の頭部切込み１１に嵌合可能である。第一切込み２１及び第二切込み２２は、椅子本体部材１を２枚重ねた厚みと略同じか数ミリメートル広い幅の切込みである。
【００２４】
図３（ｂ）に示すように、頭部補助部材２３には、両端に、嵌め込み部２３ａ及び２３ｂが設けられている。嵌め込み部２３ａ及び２３ｂの辺の長さは、椅子本体部材１の開口１５の長さと略同じであって、開口１５に、嵌め込み部２３ａ及び２３ｂが、ぴったりと嵌め込むことができる。
【００２５】
図４に示すように、座部結合部材３は、段ボールまたは厚手の紙製であって、平面視、楕円形状であって、片側の端に、２か所の切込みが設けられ、第一切込み３１と第二切込み３２となっている。第一切込み３１及び第二切込み３２は、それぞれ、椅子本体部材１の座部切込み１２に嵌合可能である。第一切込み３１及び第二切込み３２は、隣接する椅子本体部材１の座部切込み１２にそれぞれ嵌合される。座部結合部材３は、位置をずらしながら２枚ずつ椅子本体部材１に嵌めていくので、第一切込み３１と第二切込み３２の切込みの幅は、椅子本体部材１を２枚重ねた幅と略同じか数ミリメートル広い幅となっている。
【００２６】
図５に示すように、脚部外側結合部材４は、平面視、楕円形状であって、片端に、２か所切込みが設けられ、第一切込み４１と第二切込み４２となっている。脚部外側結合部材４は、段ボール製または厚手の紙製であって、第一切込み４１及び第二切込み４２は、それぞれ、椅子本体部材１の脚部切込み１３に嵌合可能である。第一切込み３１及び第二切込み３２は、隣接する椅子本体部材１の脚部切込み１３にそれぞれ嵌合される。脚部外側結合部材４は、位置をずらしながら２枚ずつ椅子本体部材１に嵌めていくので、第一切込み４１と第二切込み４２の切込みの幅は、椅子本体部材１を２枚重ねた幅と略同じか数ミリメートル広い幅となっている。
【００２７】
次に、図６から図９を示しながら、実施の形態１の椅子１００の組立方法について説明する。まず、図６に示すように、椅子本体部材１を２枚、床面に対し垂直に立てて載置し、２枚の椅子本体部材１のそれぞれの頭部切込み１１に、頭部結合部材２の第一切込み２１と第二切込み２２を嵌めこんで、２枚の椅子本体部材１を固定する。さらに、２枚の椅子本体部材１のそれぞれの座部切込み１２に、座部結合部材３の第一切込み３１と第二切込み３２を嵌めこむ。また、２枚の椅子本体部材１のそれぞれの脚部切込み１３に、脚部外側結合部材４の第一切込み４１と第二切込み４２を嵌め込んで、椅子本体部材１を、頭部結合部材２、頭部補助部材２３、座部結合部材３、脚部外側結合部材４、脚部補助部材４３で、しっかりと固定する。
【００２８】
次に、図７に示すように、床面に対し垂直な角度で固定した２枚の椅子本体部材１の隣に、もう１枚の椅子本体部材１を追加し、追加した椅子本体部材１の頭部切込み１１に、新たな頭部結合部材２の第二切込み２２を嵌め込み、第一切込み２１には、隣接する椅子本体部材１の頭部切込み１１を嵌め込む。同様に新たな頭部補助部材２２の嵌め込み部２３ａ、２３ｂを、追加した椅子本体部材１と、隣接する本体部材１の、開孔１５に嵌める。座部結合部材３、脚部外側結合部材４、脚部補助部材４３についても、それぞれ追、加した椅子本体部材１と隣接する椅子本体部材１の座部切込み１２、脚部切込み１３、脚部内側切込み１６に嵌めこみ、固定していく。
【００２９】
追加した椅子本体部材１が固定できたら、さらに、その隣に椅子本体部材１を追加し、新たな頭部結合部材２、頭部補助部材２３、座部結合部材３、脚部外側結合部材４、脚部補助部材４３を、それぞれ、追加した椅子本体部材１と隣接する椅子本体部材１に嵌め込んで固定していく。
【００３０】
以上の作業を繰り返して、椅子本体部材１が、上面視、放射状になるよう、頭部結合部材２、頭部補助部材２３、座部結合部材３、脚部外側結合部材４、脚部補助部材４３を固定していくと、図８に示すような立体形状となる。組み立てられた椅子１００は、中心に集まったヘッド部１４が背もたれとなり、座部結合部材２で結合された部分が座面となる。座面となる部分に、座面補助部材３３を載置していくと図９に示すように、椅子１００が完成する。椅子１００は、複数人が、同時に、外側に向かって腰かけることができる椅子である。必要に応じて、カバーをかけたり、クッションを配置したりして、快適に座れるようにすると良い。
【００３１】
本実施の形態１の椅子１００では、頭部結合部材２、座部結合部材３、脚部外側結合部材４及び脚部補助部材４３は、それぞれ、第一切込み２１、３１、４１、４３ａと、第二切込み２２、３２、４２、４３ｂが、平行して設けられたものを用いて、上面視、円形の椅子を形成する形態としたが、第一切込み２１、３１、４１、４３ａと、第二切込み２２、３２、４２、４３ｂとが平行ではなく異なる角度で設けられたものを、平行して設けられたものと組み合わせて形成すると、上面視、楕円形や花形の椅子１００を作成することができる。
【００３２】
頭部結合部材２、座部結合部材３、脚部外側結合部材４及び脚部補助部材４３は、２つの切込みが形成する角度、すなわち、第一切込み２１、３１、４１、４３ａと、第二切込み２２、３２、４２、４３ｂとで形成する角度を変えたものを複数種類用いて組み立てていけば、任意の大きさ、任意の形状に椅子１００を形成可能である。スペースや空間にあわせて、好みの椅子１００を形成することができる。
【００３３】
（実施の形態２）
次に、実施の形態２のテーブル２００について、説明する。本発明の実施の形態２のテーブル２００は、テーブル本体部材５、テーブル本体補助部材５５、天板中心部結合部材６、天板外側部結合部材７、底部結合部材８、天板部材９が、複数枚ずつ備えられており、それらを組み合わせてテーブルを組み立てるものである。テーブル本体部材５、テーブル本体補助部材５５、天板中心部結合部材６、天板外側部結合部材７、底部結合部材８、天板部材９は、シート状素材、段ボールや厚手の紙素材からなる。シート状のプラスチックや薄いベニヤ板等の木製素材としてもよい。
【００３４】
図１１に示すように、テーブル本体部材５は、平面視、上辺が下辺より若干広く中央近傍がくびれた形状であって、上辺に２か所、底辺に１か所の切込みが設けられており、それぞれ、上辺の切込みは天板中心部切込み５１、天板外側部切込み５２、底辺の切込みは底部切込み５３となっている。テーブル本体補助部材５５は、１か所に切込み５６が設けられている。
【００３５】
図１２に示すように、天板中心部結合部材６は、平面視、角の丸い四角形状であって、下辺に、２か所の切込みが設けられ、第一切込み６１と第二切込み６２となっている。天板外側部結合部材７は、天板中心部結合部材６よりも横幅が広い角の丸い四角形状であって、下辺に２か所の切込みが設けられ、第一切込み７１及び第二切込み７２となっている。天板中心部結合部材６の第一切込み６１及び第二切込み６２は、テーブル本体部材５の天板中心部切込み５１に嵌合可能であり、テーブル本体部材５の厚みと略同じか数ミリメートル広い幅を有する切込みである。天板外側部結合部材７の第一切込み７１と第二切込み７２は、天板外側部切込み５２に嵌合可能であって、テーブル本体部材５の厚みと略同じか数ミリメートル広い幅を有する切込みとなっている。
【００３６】
図１３に示すように、底部結合部材８は、平面視、角の丸い四角形状であって、上辺に、２か所の切込みである第一切込み８１と第二切込み８２が設けられている。底部結合部材８は、第一切込み８１及び第二切込み８２は、それぞれ、テーブル本体部材５の底部切込み５３に嵌合可能であって、テーブル本体部材５のみと略同じか数ミリメートル広い幅を有する切込みとなっている。
【００３７】
テーブル本体部材５の天板中心部切込み５１は、天板中心部結合部材６が２枚重ねて嵌合できる幅を備えた切込みである。テーブル本体部材５の天板中心部切込み５１は、天板中心部結合部材６の第一切込み６１と、別の天板中心部結合部材６の第二切込み６２が嵌合する。
【００３８】
天板部材９は、扇形状の部材であり、シート状素材、段ボールや厚手の紙製である。天板部材９はテーブルの天板になる部材であり、表面に色をつけたり、ニスをかけてつやを出したり、好みのデザインを施してもよい。
【００３９】
テーブル本体部材５の天板外側部切込み５２は、天板外側部結合部材７が２枚重ねて嵌合できる幅を備えた切込みである。テーブル本体部材５の天板外側部切込み５２は、天板外側部結合部材７の第一切込み７１と、別の座部結合部材７の第二切込み７２が嵌合する。
【００４０】
テーブル本体部材５の底部切込み５３は、底部結合部材８が２枚重ねて嵌合できる幅を備えた切込みである。テーブル本体部材５の底部切込み５３は、底部結合部材８の第一切込み８１と、別の底部結合部材８の第二切込み８２が嵌合する。
【００４１】
次に、図１４と図１５を示しながら、実施の形態２のテーブル２００の組立方法について説明する。まず、図１４に示すように、テーブル本体部材５を２枚、床面に対し垂直に立てて載置し、２枚のテーブル本体部材５のそれぞれの天板中心部切込み５１に、天板中心部結合部材６の第一切込み６１と第二切込み６２を嵌めこんで、２枚のテーブル本体部材５を固定する。さらに、２枚のテーブル本体部材５のそれぞれの天板外側部切込み５２に、天板外側部結合部材７の第一切込み７１と第二切込み７２を嵌めこむ。また、２枚のテーブル本体部材５のそれぞれの底部切込み８に、底部結合部材８の第一切込み８１と第二切込み８２を嵌めこむんで、テーブル本体部材５を、天板中心部結合部材８、天板外側部結合部材７、及び底部結合部材８でしっかりと固定する。
【００４２】
次に、床面に対し垂直な角度で固定した２枚のテーブル本体部材５の隣に、もう１枚のテーブル本体部材５を追加し、天板中心部結合部材６、天板外側部結合部材７、底部結合部材８の空いている側の切込みに嵌めこみ、固定していく。テーブル本体部材５が固定できたら、新たな天板中心部結合部材６、天板外側部結合部材７、底部結合部材８を隣に追加して、テーブル本体部材５の天板中心部切込み５１、天板外側部切込み５２、底部切込み５３に嵌めこんで、次々に、テーブル本体部材５と天板中心部結合部材６、天板外側部結合部材７、底部結合部材８を追加して嵌めこんで固定していく。
【００４３】
テーブル本体部材５が、上面視、放射状になるよう、天板中心部結合部材６、天板外側部結合部材７、底部結合部材８を固定していく。組み立てたテーブル２００の上面に天板部材９を円形になるよう並べていくとテーブル２００が完成する。完成したテーブル２００は、天板部材９の上をテーブルカバーで覆ったり、マットを敷いたりしてテーブルとして使用する。
【００４４】
（実施の形態３）
次に、実施の形態３のベッド３００について、説明する。
【００４５】
実施の形態３のベッド３００は、図１６（ａ）に示すベッド本体部材３０１と、（ｂ）に示すベッド結合部材３０２を主に有する。ベッド本体部材３０１及びベッド結合部材３０２は、厚手の紙製または段ボールからなる。薄いプラスチックシートまたは薄いベニヤ板等でもよい。また、薄い金属製シートを用いてもよい。
【００４６】
ベッド本体部材３０１は、横長の略長方形形状であって、上辺に二か所垂直な角度に切込みが設けられ、第一切込み３０１ａ及び第二切込み３０２ｂが設けられている。ベッド結合部材３０２は、略長方形形状であって、下辺に二か所垂直な角度に切込みが設けられ、第一切込み３０２ａ及び第二切込み３０２ｂとなっている。ベッド本体部材３０１の第一切込み３０１ａ及び第二切込み３０１ｂは、ベッド結合部材３０２が二枚嵌合可能な幅の切込みである。
【００４７】
次に、図１７から図２０を示しながら、ベッド３００の組立方法と使用方法を説明する。
【００４８】
ベッド３００は、ベッド本体部材３０１を、並列に複数立設し、ベッド結合部材３０２を垂直に嵌合させていく。図１７に示すように、ベッド結合部材３０２の第一切込み３０２ａを、ベッド本体部材３０１の第一切込み３０１ａに嵌合させ、ベッド結合部材３０２の第二切込み３０２ｂに、隣接するベッド本体部材３０１の第一切込み３０１ａに嵌合させる。また、別のベッド結合部材３０２の第一切込み３０２ａを、ベッド本体部材３０１の第二切込み３０１ｂに嵌合させ、隣接するベッド本体部材３０１の第二切込み３０１ｂに嵌合させる。
【００４９】
さらに、次のベッド結合部材３０２の第一切込み３０２ａを、さきほど嵌合したベッド結合部材３０２の第二切込み３０２ｂに重ねるようにして、ベッド本体部材３０１に嵌合させる。同様に、ベッド本体部材３０１に、ベッド結合部材３０２を、ひとつずつ位置をずらしながら嵌合させ、図１８のように、ベッド本体部材１と、ベッド結合部材格子状になるよう組み立てていく。
【００５０】
組立てたベッド３００は、十分な強度を有するので、図１９のように、シーツで覆って簡易ベッドとしても良いし、図２０のように、掛け布団や枕をセットしてベッドとして使用することができる。
【００５１】
本発明の組立式家具作成キットは、椅子、テーブルまたはベッド以外にも、様々な使用用途が考えられる。本体部材と結合部材は、軽量で運搬が容易であり、家具を設置したい場所で、組立てることで、家具を置くスペースにあわせた、様々な大きさや形の構造物を作成できる実施例１の椅子本体部材と結合部材は、店舗や野外イベントのブースで空間にあわせて構成し、陳列棚として使用することもできる。実施例２のテーブル本体部材と結合部材は、任意の大きさで構成し、踏み台として使用したり、災害時に、仮設机や、仮設台として使用することができる。実施例３のベッド本体部材と結合部材は、たとえば、災害時に仮設道路を敷設する際の土台として設営したり、地盤を補強するために使用することもできる。本発明の組立式家具作成キットは、家具をいう範疇を超え、様々な場面での使用用途が考えられる。
【００５２】
１００  椅子
１  椅子本体部材
１１  頭部切込み
１２  座部切込み
１３  脚部切込み
１４  ヘッド部
１５  開孔
１６  脚部内側切込み
２  頭部結合部材
２１  第一切込み
２２  第二切込み
２３  頭部補助部材
２３ａ、２３ｂ  嵌め込み部
３  座部結合部材
３１  第一切込み
３２  第二切込み
３３  座面補助部材
３３ａ  凸部
４  脚部外側結合部材
４１  第一切込み
４２  第二切込み
４３  脚部補助部材
４３ａ  第一切込み
４３ｂ  第二切込み
２００  テーブル
５  テーブル本体部材
５１  天板中心部切込み
５２  天板外側部切込み
５３  底部切込み
５４  中央切込み
５５  テーブル本体補助部材
５６  切り込み
６  天板中心部結合部材
６１  第一切込み
６２  第二切込み
７  天板外側部結合部材
７１  第一切込み
７２  第二切込み
８  底部結合部材
８１  第一切込み
８２  第二切込み
９  天板部材
９１  外端
９２  内端
３００  ベッド
３０１  ベッド本体部材
３０１ａ  第一切込み
３０１ｂ  第二切込み
３０２ベッド結合部材
３０２ａ  第一切込み
３０２ｂ  第二切込み
Ｓ    シーツ
Ｒ    布団
Ｐ    枕
【図１】
2020000265.tif 000003
【図２】
2020000265.tif 000004
【図３】
2020000265.tif 000005
【図４】
2020000265.tif 000006
【図５】
2020000265.tif 000007
【図６】
2020000265.tif 000008
【図７】
2020000265.tif 000009
【図８】
2020000265.tif 000010
【図９】
2020000265.tif 000011
【図１０】
2020000265.tif 000012
【図１１】
2020000265.tif 000013
【図１２】
2020000265.tif 000014
【図１３】
2020000265.tif 000015
【図１４】
2020000265.tif 000016
【図１５】
2020000265.tif 000017
【図１６】
2020000265.tif 000018
【図１７】
2020000265.tif 000019
【図１８】
2020000265.tif 000020
【図１９】
2020000265.tif 000021
【図２０】
2020000265.tif 000022